(57)【要約】【課題】手摺パイプの水平方向の長さにかかわることなく、操作盤、またはトランクの扉の開閉を円滑におこなうことができるかご室内手摺を提供する。【解決手段】この発明に係るエレベータのかご室内手摺は、エレベータの機器、装備、または乗降者の手荷物を収納し、エレベータのかご室１内で開閉自在な扉が設けられた収納手段と、エレベータのかご室１内において、収納手段の扉の開閉を妨げる位置に設けられた手摺手段５と、収納手段の扉を開閉する場合、手摺手段５の位置を移動するため、手摺手段５を折りたたむ折りたたみ手段とを備える。【選択図】図２
2015044663.tif 000002
【特許請求の範囲】
【請求項１】
エレベータの機器、装備、または乗降者の手荷物を収納し、前記エレベータのかご室内で開閉自在な扉が設けられた収納手段と、
前記エレベータのかご室内において、前記収納手段の扉の開閉を妨げる位置に設けられた手摺手段と、
前記収納手段の扉を開閉する場合、前記手摺手段の位置を移動するため、前記手摺手段を折りたたむ折りたたみ手段とを備えたことを特徴とするエレベータのかご室内手摺。
【請求項２】
前記手摺手段は、
第１の手摺と第２の手摺とから構成され、
前記折りたたみ手段は、
前記エレベータのかご室の壁面に設けられた手摺案内手段と、
前記第１の手摺及び前記第２の手摺を前記手摺案内手段に連結し、
前記第１の手摺及び前記第２の手摺を前記手摺案内手段に沿って移動可能とし、かつ、
前記第１の手摺及び前記第２の手摺を前記手摺案内手段に対して回転させる手摺取付移動手段と、
前記第１の手摺と前記第２の手摺とを連結し、前記第１の手摺と前記第２の手摺とを折りたたむ手摺連結手段とを備え、
前記手摺連結手段が前記第１の手摺と前記第２の手摺とを折りたたむ際、前記手摺連結手段は、前記第１の手摺及び前記第２の手摺を前記手摺案内手段に沿って移動させるとともに、前記第１の手摺及び前記第２の手摺を前記手摺案内手段に対して回転させる
ことを特徴とする請求項１記載のエレベータのかご室内手摺。
【発明の詳細な説明】
【技術分野】
【０００１】
本発明は、エレベータのかご室内に備え付けられた手摺に関するものである。
【背景技術】
【０００２】
従来のエレベータのかご室内に備え付けられた手摺は、手摺パイプと、手摺ブラケットと、手摺固定金具とによって構成されている。上記手摺パイプは、手摺本体部である。かご内において、乗降者は上記手摺パイプにつかまることができる。上記手摺ブラケットは、手摺パイプの両端で固定され、手摺パイプを支持するものである。また、上記手摺ブラケットは、かご室内の側壁部表面に取り付けられる。上記手摺固定金具は、かご室外の側壁部裏面であって、上記手摺ブラケットの固定位置の裏面側に配置される。
【０００３】
上記手摺固定金具は、壁部表面側、すなわちかご室内側から挿入される第一の固定ネジによってかご室外の壁部裏面側に取り付けられる。上記手摺ブラケットは、第二の固定ネジによって、上記手摺固定金具に取り付けられ、かご室内に固定されている（特許文献１参照）。
【先行技術文献】
【特許文献】
【０００４】
【特許文献１】特開２００５−１５５１９０号公報（例えば、段落００１６、００１７、及び図１）
【発明の概要】
【発明が解決しようとする課題】
【０００５】
エレベータのかご室には、かごの操作盤が設けられる。上記操作盤の点検の際、作業者は、操作盤の扉をかご室内で開閉する必要がある。しかし、上記手摺パイプが上記かご室内に設けられた操作盤の扉の開閉を妨げる場合がある。従来のかご室内に設けられた手摺は、上記手摺パイプの水平方向の長さを変更することができない。このため、手摺パイプの水平方向の長さが長いので、上記手摺パイプの一部、または端部が、操作盤の扉に接触することにより、操作盤の扉の開閉を妨げてしまう。
【０００６】
また、エレベータのかご室内には、荷物などを格納するトランクが設けられる場合がある。トランク内に荷物を出し入れする場合、作業者は、トランクの扉を開閉する。しかし、従来のかご室内に設けられた手摺は、手摺パイプの水平方向の長さを変更することができない。このため、上記手摺パイプの水平方向の長さが長いので、上記手摺パイプの一部、または端部が、操作盤の扉に接触することにより、上記トランクの扉の開閉を妨げてしまう。
【０００７】
このように、従来のかご室内に操作盤、またはトランクの扉を設けた場合、従来のかご室内に設けられた上記手摺パイプの水平方向の長さは、かご室内に上記手摺を据え付ける際において、操作盤、またはトランクの扉の開閉を妨げないようにしなければならないという問題点があった。
【０００８】
本発明は、上記の従来技術の課題を解決し、上記手摺パイプの水平方向の長さにかかわることなく、上記操作盤、またはトランクの扉の開閉を円滑におこなうことができるかご室内手摺を提供することを目的とする。
【課題を解決するための手段】
【０００９】
この発明に係るエレベータのかご室内手摺は、エレベータの機器、装備、または乗降者の手荷物を収納し、エレベータのかご室内で開閉自在な扉が設けられた収納手段と、エレベータのかご室内において、収納手段の扉の開閉を妨げる位置に設けられた手摺手段と、収納手段の扉を開閉する場合、手摺手段の位置を移動するため、手摺手段を折りたたむ折りたたみ手段とを備える。
【発明の効果】
【００１０】
本発明のかご室内手摺は、上記手摺パイプを折りたたみ構造にすることにより、上記手摺パイプの水平方向の長さにかかわることなく、上記操作盤、またはトランクの扉の開閉を円滑におこなうことができる。
【図面の簡単な説明】
【００１１】
【図１】実施の形態１における手摺パイプの展開状態のかご室を示す図である。
【図２】実施の形態１における手摺折りたたみ状態のかご室を示す図である。
【図３】実施の形態１におけるガイドを示す図である。
【図４】実施の形態１における壁側支持具を示す図である。
【図５】実施の形態１における手摺側支持具を示す図である。
【図６】実施の形態１におけるかご室内手摺の取り付け方法を示す図である。
【図７】実施の形態１における手摺とヒンジ機構の取り付け方法を示す図である。
【図８】実施の形態１における側壁面の斜視図である。
【発明を実施するための形態】
【００１２】
実施の形態１．
図１は、実施の形態１における手摺パイプ５が、かご室１内で折りたたまれていない、上記手摺パイプ５の通常の使用状態（以下、手摺パイプ５の展開状態という。）を示す図である。図１を参照して、実施の形態１におけるエレベータのかご室内手摺について説明する。
【００１３】
図１−（ａ）は、手摺パイプ５の展開状態において、かご室１内を天井方向から見た図である。図１−（ｂ）は、手摺パイプ５の展開状態において、かご室１内の側壁面１１ａ側を示す側面図である。なお、図１−（ａ）のＡは、かご室１に設けられて、乗降者がかご室１内に出入りするための出入り口である。
【００１４】
側壁面１１ａには、ガイド２が取り付けられる。ガイド２には、壁側支持具３が取り付けられる。壁側支持具３は、ガイド２上をガイド方向に移動可能に設けられる。なお、以下において、ガイド方向とは、図１に示すように、ガイド２に対する水平方向のことである。また、本発明の手摺案内手段とは、ガイド２のことである。
【００１５】
手摺側支持具４は、手摺パイプ５ａの両端部５１ａ、５１ｂに取り付けられる。手摺側支持具４は、壁側支持具３に取り付けられる。また、手摺側支持具４は、壁側支持具３に対し、回転可能に取り付けられる。本発明の手摺取付移動手段とは、壁側支持具３及び手摺側支持具４のことである。
【００１６】
なお、以下において、手摺パイプ５ａと手摺パイプ５ｂとのことを、手摺パイプ５という。手摺パイプ５ａの端部５１ａと手摺パイプ５ｂの端部５１ｂとのことを、端部５１という。手摺パイプ５ａの中央部５２ａと手摺パイプ５ｂの中央部５２ｂとのことを、中央部５２という。また、本発明の手摺手段とは、手摺パイプ５のことである。手摺手段は、手摺パイプ５のほか、その他の材質で構成される手摺に相当するものであっても良い。
【００１７】
手摺パイプ５は、中央部５２にヒンジ機構６が取り付けられる。手摺パイプ５ａと手摺パイプ５ｂとは、ヒンジ機構６に取り付けられる。ヒンジ機構６は、手摺パイプ５ａを手摺パイプ５ｂに対して回転可能とする。この回転により、手摺パイプ５は、折りたたまれる。これにより、ヒンジ機構６は、手摺パイプ５を折りたたみ可能とする。なお、手摺パイプ５の展開状態とは、図１に示すように、手摺パイプ５がヒンジ機構６により折りたたまれていない状態をいう。また、本発明の手摺連結手段とは、ヒンジ機構６のことである。本発明の折りたたみ手段とは、本発明の手摺案内手段であるガイド２、本発明の手摺取付移動手段である壁側支持具３及び手摺側支持具４、本発明の手摺連結手段であるヒンジ機構６のことである。
【００１８】
出入り口Ａの両サイドのかご室１内の壁面１１ｂには、操作盤７が設置される。操作盤７は、壁面１１ｂの昇降路側に設けられる。なお、かご室１内の壁面１１ｂには、操作盤７の代わりにエレベータの機器または装備を設置しても良い。また、かご室１の奥壁１１ｃには、トランク８が設けられる。トランク８は、奥壁１１ｃの外側に設置される。トランク８は、乗降者の手荷物などを収納する。
【００１９】
また、図１に示す手摺パイプ５の展開状態において、操作盤７の扉７１及びトランク８の扉８１は、閉じられている。本発明の収納手段とは、上記操作盤７、またはトランク８のことである。
【００２０】
図２は、実施の形態１における手摺折りたたみ状態のかご室１を示す図である。このうち、図２−（ａ）は、手摺折りたたみ状態において、かご室１内を天井方向から見た図である。図２−（ｂ）は、手摺折りたたみ状態において、かご室１内の側壁面１１ａ側を示す側面図である。
【００２１】
手摺パイプ５は、壁側支持具３と手摺側支持具４の連結部分を中心として回転移動する。これにより、実施の形態１におけるかご室１内の手摺パイプ５は、図１に示す状態から、図２に示す状態になる。なお、手摺折りたたみ状態とは、図２に示すように、手摺パイプ５が、壁側支持具３と手摺側支持具４の連結部分を中心として回転移動した状態をいう。
【００２２】
図２に示す状態において、操作盤７の扉７１は、Ｂの点線に示すように開閉することができる。この操作盤７の扉７１の開閉において、操作盤７の扉７１は、空間Ｃの範囲を移動する。空間Ｃは、図１に示すとおり、そもそも手摺パイプ５ａの端部５１ａがあった位置である。しかし、図２に示すとおり、空間Ｃの位置に手摺パイプ５はない。このため、図２に示す状態において、操作盤７の扉７１は、開閉を行っても手摺パイプ５と接触しない。
【００２３】
また、図２に示す状態において、トランク８の扉８１は、Ｄの点線に示すように開閉することができる。このトランク８の扉８１の開閉において、トランク８の扉８１は、空間Ｅの範囲を移動する。空間Ｅは、図１に示すとおり、そもそも手摺パイプ５ｂの端部５１ｂがあった位置である。しかし、図２に示すとおり、空間Ｅの位置に手摺パイプ５はない。このため、図２に示す状態において、トランク８の扉８１は、開閉を行っても手摺パイプ５と接触しない。
【００２４】
図３は、実施の形態１におけるガイド２について示す図である。ガイド２は、ガイド本体２１と、ガイド部２２ａと、ガイド部２２ｂとを備える。ガイド本体２１は、ねじ穴２１１を複数備える。ねじ穴２１１は、ガイド部本体２１を貫通する。また、ガイド２は、側壁面１１ａに対し、ねじ９ａにより固定される。
【００２５】
また、ガイド２は、ガイド本体２１の上方向に、ガイド部２２ａを備える。ガイド２は、ガイド本体２１の下方向に、ガイド部２２ｂを備える。ガイド部２２ａ及びガイド部２２ｂは、ガイド２１本体と一体的に形成される。
【００２６】
図４は、実施の形態１における壁側支持具３について示す図である。壁側支持具３は、上側支持具３０ａと、下側支持具３０ｂとから構成される。上側支持具３０ａは、スライダ部３１ａと、回転軸支持部３２ａとを備える。スライダ部３１ａは、図４に示すようなコの字形状である。スライダ部３１ａは、スライダ溝３１１ａを持つ。スライダ溝３１１ａは、ガイド部２２ａを収容できる大きさ及び形状である。
【００２７】
下側支持具３０ｂは、スライダ部３１ｂと、回転軸支持部３２ｂとを備える。スライダ部３１ｂは、スライダ部３１ａと同様の形状であり、スライダ溝３１１ｂを持つ。スライダ溝３１１ｂは、ガイド部２２ｂを収容できる大きさ及び形状である。
【００２８】
回転軸支持部３２ｂは、溝３２１ｂと、ねじ穴３２２ｂとを持つ。ねじ穴３２２ｂは、回転軸支持部３２ｂを貫通する。
【００２９】
また、回転軸支持部３２ａは、回転軸支持部３２ｂと同様に、図示しない溝３２１ａと、ねじ穴３２２ａとを持つ。なお、ねじ穴３２２ａは、回転軸支持部３２ａを貫通していない。上側支持具３０ａと下側支持具３０ｂとは、ねじ９ｂにより固定される。
【００３０】
図５は、実施の形態１における手摺側支持具４について示す図である。手摺側支持具４は、回転軸４１と、リング４２とを備える。回転軸４１は、先端に回転軸頭部４１１を持つ。回転軸頭部４１１は、図５に示すとおり、円盤形状である。なお、回転軸頭部４１１は、溝３２１ａ及び溝３２１ｂに収容される大きさ及び形状である。
【００３１】
リング４２は、図５に示すとおり、中央に穴が形成されたリング形状である。また、リング４２は、ねじ穴４２１を持つ。ねじ穴４２１は、リング４２を貫通する。手摺側支持具４は、手摺パイプ５に対し、ねじ９ｃにより固定される。
【００３２】
図６は、実施の形態１におけるかご室内手摺の取り付け方法について示す図である。図６を参照して、実施の形態１におけるかご室内手摺の取り付け方法を説明する。
【００３３】
まず、作業者は、側壁面１１ａにガイド２を固定する。側壁面１１ａにガイド２を固定する場合、作業者は、側壁面１１ａに設けられたねじ穴に、ねじ穴２１１が一致するよう、ガイド２を設ける。この状態で、作業者は、ねじ穴２１１と側壁面１１ａに設けられたねじ穴とにねじ９ａを挿入し、このねじ９ａを締め付ける。これにより、ガイド２は、側壁面１１ａに対して固定される。
【００３４】
次に、作業者は、手摺パイプ５に手摺側支持具４を固定する。手摺パイプ５に手摺側支持具４を固定する場合、作業者は、手摺側支持具４のリング４２の穴に、手摺パイプ５の端部５１を挿入する。それから作業者は、手摺パイプ５の端部５１に設けられたねじ穴に、ねじ穴４２１を一致させる。この状態で、作業者は、ねじ穴４２１と手摺パイプ５の端部５１に設けられたねじ穴とにねじ９ｃを挿入し、このねじ９ｃを締め付ける。これにより、手摺側支持具４は、手摺パイプ５に対して固定される。
【００３５】
そして、作業者は、壁側支持具３により、ガイド２と手摺側支持具４とを連結する。この作業において、まず作業者は、下側支持具３０ｂのスライダ部３１ｂを、ガイド２と嵌め合わせる。この嵌め合わせるとは、具体的には、スライダ溝３１１ｂが、ガイド２のガイド部２２ｂを覆うように設ける。
【００３６】
また、作業者は、手摺側支持具４の回転軸４１を、下側支持具３０ｂの回転軸支持部３２ｂと嵌め合わせる。この嵌め合わせるとは、具体的には、回転軸頭部４１１が、溝３２１ｂ内に収容されるように設ける。
【００３７】
作業者は、上側支持具３０ａを、下側支持具３０ｂに対し、上方向から嵌め合わせる。この嵌め合わせるとは、具体的には、スライダ部３１ａのスライダ溝３１１ａが、ガイド２のガイド部２２ａを覆うように設ける。また、回転軸支持部３２ａの溝３２１ａが、回転軸４１の回転軸頭部４１１を収容するように設ける。
【００３８】
このような状態において、回転軸支持部３２ｂのねじ穴３２２ｂは、回転軸支持部３２ａのねじ穴３２２ａと一致している。作業者は、ねじ穴３２２ｂとねじ穴３２２ａとにねじ９ｂを挿入し、このねじ９ｂを締め付ける。これにより、下側支持具３０ｂは、上側支持具３０ａと固定される。
【００３９】
また、スライダ部３１ａ及びスライダ部３１ｂは、ガイド部２２ａ及びガイド部２２ｂを覆うように設けている。このため、壁側支持具３は、ガイド２に対して支持される。なお、壁側支持具３は、ガイド２に対して完全に固定されず、ガイド２に対してガイド方向に移動可能に支持される。
【００４０】
さらに、回転軸頭部４１１は、溝３２１ａ及び溝３２１ｂ内に収容されている。このため、手摺側支持具４は、壁側支持具３に対して支持される。なお、手摺側支持具４は、壁側支持具３に対して完全に固定されず、壁側支持具３に対して回転可能に支持される。
【００４１】
このようにして、手摺パイプ５は、側壁面１１ａに取り付けられる。
【００４２】
図７は、実施の形態１における手摺パイプ５とヒンジ機構６の取り付け方法を示す図である。図７を参照して、実施の形態１に係るヒンジ機構６について説明する。
【００４３】
ヒンジ機構６は、ピン６１と、ヒンジ環６２ａと、ヒンジ環６２ｂと、固定板６３とを備える。ピン６１は、頭部６１１と、軸部６１２とから構成される。頭部６１１は、円盤形状である。また、軸部６１２は、円柱形状である。なお、軸部６１２は、頭部６１１とは反対側の端面において、図示しないねじ穴６１２１を持つ。このねじ穴６１２１は、軸部６１２を貫通していない。
【００４４】
ヒンジ環６２ａは、図７に示すとおり、中央に穴が形成される。この穴は、ピン６１の軸部６１２を挿入できる大きさ及び形状である。また、ヒンジ環６２ａは、段差部６２１ａを持つ。段差部６２１ａは、ピン６１の頭部６１１を収容できる大きさ及び形状である。
【００４５】
ヒンジ環６２ｂは、ヒンジ環６２ａと同様に、中央に穴が形成される。この穴は、ピン６１の軸部６１２を挿入できる大きさ及び形状である。
【００４６】
固定板６３は、円盤形状である。固定板６３は、図示しないねじ穴６３１を持つ。このねじ穴６３１は、固定板６３を貫通する。固定板６３は、ピン６１に対し、ねじ９ｄにより固定される。
【００４７】
次に、図７を参照して、実施の形態１に係る手摺パイプ５とヒンジ機構６との取り付け方法を説明する。ヒンジ環６２ａは、図７に示すように、手摺パイプ５ａの中央部５２ａに固定される。ヒンジ環６２ｂは、図７に示すように、手摺パイプ５ｂの中央部５２ｂに固定される。この固定は、接着、溶接などにより行う。
【００４８】
それから、作業者は、ヒンジ環６２ａの穴とヒンジ環６２ｂの穴とを一致させる。作業者は、両穴に対し、ピン６１の軸部６１２を挿入する。このとき、ピン６１の頭部６１１は、ヒンジ環６２ａの段差部６２１ａに収容される。
【００４９】
次に、ピン６１と固定板６３とを固定する。作業者は、ピン６１の軸部６１２に設けられたねじ穴６１２１に、固定板６３のねじ穴６３１を一致させる。この状態で、作業者は、ねじ穴６３１とねじ穴６１２１とにねじ９ｄを挿入し、このねじ９ｄを締め付ける。これにより、固定板６３は、ピン６１に対して固定される。
【００５０】
また、ヒンジ環６２ａの穴とヒンジ環６２ｂの穴とには、ピン６１の軸部６１２が挿入されている。このため、ヒンジ環６２ａとヒンジ環６２ｂとは、ピン６１により支持される。なお、ヒンジ環６２ａとヒンジ環６２ｂとは、ピン６１に対して完全に固定されず、ピン６１に対して回転可能に支持される。つまり、手摺パイプ５は、ヒンジ機構６により、ピン６１を中心として回転可能に支持される。このようにして、手摺パイプ５ａと手摺パイプ５ｂとは、ヒンジ機構６により支持される。
【００５１】
図８は、実施の形態１における側壁面１１ａの斜視図である。図２、図６、図７、及び図８を参照して、実施の形態１におけるエレベータのかご室内手摺の動作を説明する。
【００５２】
図８に示すように、手摺パイプ５に対して下方向から上方向へと力Ｊが働いた場合を考える。この場合、次の（１）から（５）の動作が同時に行われる。
（１）手摺パイプ５ａが、手摺パイプ５ａと連結された手摺側支持具４を中心として、壁側支持具３に対して反時計回りに回転する。この回転の方向は、図２の矢印Ｆのとおりである。
（２）手摺パイプ５ａと連結された手摺側支持具４が、この手摺側支持具４に連結された壁側支持具３とともに、ガイド２に沿って移動する。
（３）手摺パイプ５ｂが、手摺パイプ５ｂと連結された手摺側支持具４を中心として、壁側支持具３に対して時計回りに回転する。この回転の方向は、図２の矢印Ｇのとおりである。
（４）手摺パイプ５ｂと連結された手摺側支持具４が、この手摺側支持具４に連結された壁側支持具３とともに、ガイド２に沿って移動する。
（５）手摺パイプ５ａと手摺パイプ５ｂは、ヒンジ機構６を支点として折り曲げられる。
【００５３】
（１）及び（３）において、具体的には、図６に示す回転軸頭部４１１が、溝３２１ａ及び溝３２１ｂ内で回転する。これにより、実施の形態１におけるエレベータのかご室内手摺は、手摺側支持具４が、壁側支持具３に対して回転する。
【００５４】
（２）及び（４）において、具体的には、図６に示すスライダ部３１ａが、ガイド部２２ａに沿って移動する。また、これと同時に、スライダ部３１ｂが、ガイド部２２ｂに沿って移動する。これにより、実施の形態１におけるエレベータのかご室内手摺は、壁側支持具３が、ガイド２に沿って移動する。
【００５５】
（５）において、具体的には、図７に示すヒンジ環６２ａが、ピン６１を中心として回転する。これにより、手摺パイプ５ａが、図７の矢印Ｈのとおり、ヒンジ機構６を中心として反時計回りに回転する。また同時に、ヒンジ環６２ｂが、ピン６１を中心として回転する。これにより、手摺パイプ５ｂが、図７の矢印Ｉのとおり、ヒンジ機構６を中心として時計回りに回転する。
【００５６】
上記の（１）から（５）の動作により、手摺パイプ５は、図８に示すように、中央部５２が上方向へと移動する。また、手摺パイプ５は、図８に示すように、端部５１がガイド方向の中央方向へと移動する。このようにして、手摺パイプ５は、図２または図８に示すように折りたたまれる。また、手摺パイプ５は、折りたたまれることにより、ガイド方向の長さが変更される。
【００５７】
以上のとおり、本実施の形態においては、収納手段が、エレベータの機器、装備、または乗降者の手荷物を収納し、前記エレベータのかご室内で開閉自在な扉を備える。また、手摺パイプその他の材質で構成される手摺に相当する手摺手段は、前記エレベータのかご室内において、前記収納手段の扉の開閉を妨げる位置に設けられる。更にまた、折りたたみ手段は、エレベータの乗降者または保守点検員が、前記収納手段の扉を開閉する場合、前記手摺手段の位置を移動するため、前記手摺手段を折りたたむ。
【００５８】
さらに、本実施の形態においては、前記手摺手段が、第１の手摺と第２の手摺とから構成される。また、前記折りたたみ手段は、次の構成動作からなる。
１．手摺案内手段は、前記エレベータのかご室の壁面に設けられている。
２．また、手摺取付移動手段は、（ａ）前記第１の手摺及び前記第２の手摺を前記手摺案内手段に連結し、（ｂ）前記第１の手摺及び前記第２の手摺を前記手摺案内手段に沿って移動可能とし、（ｃ）かつ、前記第１の手摺及び前記第２の手摺を前記手摺案内手段に対して回転させる。
３．更にまた、手摺連結手段は、前記第１の手摺と前記第２の手摺とを連結し、前記第１の手摺と前記第２の手摺とを折りたたむものである。
４．そして、前記手摺連結手段が前記第１の手摺と前記第２の手摺とを折りたたむ際、前記手摺連結手段は、前記第１の手摺及び前記第２の手摺を前記手摺案内手段に沿って移動させるとともに、前記第１の手摺及び前記第２の手摺を前記手摺案内手段に対して回転させる。
【００５９】
このような構成としたことで、手摺パイプ５は、手摺パイプ５の展開状態において、図２に示すＣ及びＥの位置まで展開される。つまり、実施の形態１におけるエレベータのかご室内手摺は、開閉した操作盤７の扉７１またはトランク８の扉８１と接触する長さの手摺パイプ５を設置することができる。よって、ガイド方向に長い手摺パイプ５を、乗降者に提供することができる。
【００６０】
また、手摺パイプ５は、操作盤７の扉７１またはトランク８の扉８１の開閉時において、折りたたむことができる。手摺パイプ５は、折りたたまれることにより、ガイド方向の長さが短くなる。
【００６１】
操作盤７の扉７１を開ける場合、折りたたんだ手摺パイプ５は、図２のガイド方向において、操作盤７から遠ざかる方向へ移動させる。これにより、図２に示す空間Ｃの位置に、手摺パイプ５がない状態とすることができる。この状態において、操作盤７の扉７１は、開閉を行っても手摺パイプ５と接触しない。
【００６２】
また、トランク８の扉８１を開ける場合、折りたたんだ手摺パイプ５は、図２のガイド方向において、トランク８から遠ざかる方向へ手摺パイプ５を移動させる。これにより、図２に示す空間Ｅの位置に、手摺パイプ５がない状態とすることができる。この状態において、トランク８の扉８１は、開閉を行っても手摺パイプ５と接触しない。
【００６３】
このようにして、実施の形態１におけるエレベータのかご室内手摺は、操作盤７の扉７１及びトランク８の扉８１を開閉するための空間Ｃ及び空間Ｅを確保することができる。つまり、実施の形態１におけるエレベータのかご室内手摺は、手摺パイプ５の水平方向の長さを変更し、操作盤７の扉７１またはトランク８の扉８１から遠ざけることにより、操作盤７の扉７１またはトランク８の扉８１との接触を避けることができる。
【符号の説明】
【００６４】
１  かご室、１１ａ  側壁面、１１ｂ  壁面、１１ｃ  奥壁、２  ガイド、２１  ガイド本体、２１１  ねじ穴、２２ａ  ガイド部、２２ｂ  ガイド部、３  壁側支持具、３０ａ  上側支持具、３１ａ  スライダ部、３１１ａ  スライダ溝、３２ａ  回転軸支持部、３２１ａ  溝、３２２ａ  ねじ穴、３０ｂ  下側支持具、３１ｂ  スライダ部、３１１ｂ  スライダ溝、３２ｂ  回転軸支持部、３２１ｂ  溝、３２２ｂ  ねじ穴、４  手摺側支持具、４１  回転軸、４１１  回転軸頭部、４２  リング、４２１  ねじ穴、５ａ  手摺パイプ、５１ａ  端部、５２ａ  中央部、５ｂ  手摺パイプ、５１ｂ  端部、５２ｂ  中央部、６  ヒンジ機構、６１  ピン、６１１  頭部、６１２  軸部、６１２１  ねじ穴、６２ａ  ヒンジ環、６２ｂ  ヒンジ環、６２１ａ  段差部、６３  固定板、６３１  ねじ穴、７  操作盤、７１  扉、８  トランク、８１  扉、９ａ  ねじ、９ｂ  ねじ、９ｃ  ねじ、９ｄ  ねじ
【図１】
2015044663.tif 000003
【図２】
2015044663.tif 000004
【図３】
2015044663.tif 000005
【図４】
2015044663.tif 000006
【図５】
2015044663.tif 000007
【図６】
2015044663.tif 000008
【図７】
2015044663.tif 000009
【図８】
2015044663.tif 000010